(57)【要約】【課題】低ジッタ、低エラー率な記録が可能で、ＤＶＤ−Ｒで用いているランドプリピットフォーマットよりも簡単に製造可能な高周波ウォブルフォーマットでデータ部の書き足しを効率よく実施できる色素系追記型ＤＶＤ媒体の記録再生方法等の提供。【解決手段】色素系追記型ＤＶＤ媒体における該色素含有記録層に対し、最短長マークを先端部が高出力化された１つのパルス光で記録し、２番目以降の長さのマークをパルス先端部とパルス後端部の２箇所が一定時間高出力化され、パルス先端部パワーは前記最短長マークの先端部パワーと等しく、パルス後端部パワーは前記最短長マークの後端部パワーと等しい１つのパルス光でマークを記録し、記録を再生光で再生し、マーク記録時におけるパルス後端部以降のクーリングパルスの照射光量が一定時間０．１ｍＷ以下であり、かつ記録線速度が４２ｍ／ｓ以上である色素系追記型ＤＶＤ媒体の記録再生方法である。【選択図】図１Ｂ
2006286174.tif 000002
【特許請求の範囲】
【請求項１】
ウォブルを設けた案内溝を有する基板上に少なくとも色素含有記録層を有する色素系追記型ＤＶＤ媒体における該色素含有記録層に対し、最短長マークを先端部が高出力化された１つのパルス光で記録し、２番目以降の長さのマークをパルス先端部とパルス後端部の２箇所が一定時間高出力化され、該パルス先端部パワーは前記最短長マークの先端部パワーと等しく、該パルス後端部パワーは前記最短長マークの後端部パワーと等しい１つのパルス光でマークを記録し、該記録を再生光で再生する色素系追記型ＤＶＤ媒体の記録再生方法であって、
前記マーク記録時におけるパルス後端部以降のクーリングパルスの照射光量が、一定時間０．１ｍＷ以下であり、かつ記録線速度が４２ｍ／ｓ以上であることを特徴とする色素系追記型ＤＶＤ媒体の記録再生方法。
【請求項２】
パルス後端部以降にクーリングパルスを照射する時間が、最短長スペースの１／６〜６／６の長さである請求項１に記載の色素系追記型ＤＶＤ媒体の記録再生方法。
【請求項３】
直前のスペース長が最短長であるマークを形成する記録パルスの加熱パルス幅を、該マークの長さが最短長であるか否かで区別し、最短長マークの加熱パルス幅を最短長でないマークの加熱パルス幅よりも長く設定し、かつ、最短長マークを形成する記録パルスの加熱パルス幅を、該最短長マークの直前のスペース長が最短長であるか否かで区別し、直前のスペース長が最短長であるマークの加熱パルス幅を、直前のスペース長が最短長でないマークの加熱パルス幅よりも短く設定する請求項１から２のいずれかに記載の色素系追記型ＤＶＤ媒体の記録再生方法。
【請求項４】
ウォブルは、基本クロック周期をＴとして４Ｔ〜９６Ｔ相当の周波数とする請求項１から３のいずれかに記載の色素系追記型ＤＶＤ媒体の記録再生方法。
【請求項５】
ウォブルの振幅（Ｗｏ）と、トラックエラーを検出制御するための２分割光検出器による差信号であるプッシュプル振幅（ＰＰ）との比（Ｗｏ／ＰＰ）が、次式、０．１≦Ｗｏ／ＰＰ≦０．４を満たすように同期合わせする請求項１から４のいずれかに記載の色素系追記型ＤＶＤ媒体の記録再生方法。
【請求項６】
記録光の波長が６００〜７２０ｎｍである請求項１から５のいずれかに記載の色素系追記型ＤＶＤ媒体の記録再生方法。
【請求項７】
記録光及び再生光の波長±５ｎｍの波長域の光に対し、色素含有記録層単層の屈折率ｎが１．５≦ｎ≦３．０であり、かつ消衰係数ｋが０．０２≦ｋ≦０．２である請求項１から６のいずれかに記載の色素系追記型ＤＶＤ媒体の記録再生方法。
【請求項８】
色素含有記録層の分解開始温度が１００〜３６０℃である請求項１から７のいずれかに記載の色素系追記型ＤＶＤ媒体の記録再生方法。
【請求項９】
色素系追記型ＤＶＤ媒体が、基板上に、色素含有記録層と、反射層、保護層、接着層、保護基板及び基板面ハードコート層から選択される少なくとも１つを有する請求項１から８のいずれかに記載の色素系追記型ＤＶＤ媒体の記録再生方法。
【請求項１０】
色素系追記型ＤＶＤ媒体が反射層を有し、該反射層が金、銀、アルミニウム、及びこれらを主成分とする合金のいずれかを含む請求項９に記載の色素系追記型ＤＶＤ媒体の記録再生方法。
【請求項１１】
色素系追記型ＤＶＤ媒体が保護層を有し、該保護層が紫外線硬化樹脂を含む請求項９から１０のいずれかに記載の色素系追記型ＤＶＤ媒体の記録再生方法。
【請求項１２】
色素系追記型ＤＶＤ媒体が、第１基板と第２基板との間に、少なくとも色素含有記録層と反射層と保護層と接着層とをこの順に有する層構成、及び、少なくとも第１色素含有記録層と第１反射層と第１保護層と接着層と第２保護層と第２反射層と第２色素含有記録層とをこの順に有する層構成、のいずれかを有し、前記ＤＶＤ媒体の少なくとも片方の面に記録再生面を有する請求項９から１１のいずれかに記載の色素系追記型ＤＶＤ媒体の記録再生方法。
【請求項１３】
接着層が、紫外線硬化樹脂を含む請求項１２に記載の色素系追記型ＤＶＤ媒体の記録再生方法。
【請求項１４】
ウォブルを設けた案内溝を有する基板と、該基板上に少なくとも色素含有記録層を有する色素系追記型ＤＶＤ媒体と、
最短長マークを先端部が高出力化された１つのパルス光で記録し、２番目以降の長さのマークをパルス先端部とパルス後端部の２箇所が一定時間高出力化され、該パルス先端部パワーは前記最短長マークの先端部パワーと等しく、該パルス後端部パワーは前記最短長マークの後端部パワーと等しい１つのパルス光でマークを記録する記録手段と、
前記記録を再生光で再生する再生手段とを有してなり、
前記記録手段によるマーク記録時に、パルス後端部以降のクーリングパルスの照射光量が一定時間０．１ｍＷ以下であり、かつ記録線速度が４２ｍ／ｓ以上であることを特徴とする色素系追記型ＤＶＤ媒体の記録再生装置。
【請求項１５】
パルス後端部以降にクーリングパルスを照射する時間を、最短長スペースの１／６〜６／６の長さとする請求項１４に記載の色素系追記型ＤＶＤ媒体の記録再生装置。
【請求項１６】
直前のスペース長が最短長であるマークを形成する記録パルスの加熱パルス幅を、該マークの長さが最短長であるか否かで区別し、最短長マークの加熱パルス幅を最短長でないマークの加熱パルス幅よりも長く設定し、かつ、最短長マークを形成する記録パルスの加熱パルス幅を、該最短長マークの直前のスペース長が最短長であるか否かで区別し、直前のスペース長が最短長であるマークの加熱パルス幅を、直前のスペース長が最短長でないマークの加熱パルス幅よりも短く設定する請求項１４から１５のいずれかに記載の色素系追記型ＤＶＤ媒体の記録再生装置。
【発明の詳細な説明】
【技術分野】
【０００１】
本発明は、光ビームを照射することにより、記録材料の透過率、反射率等の光学的な変化を生じさせ、情報の記録、及び再生を行い、かつ追記が可能な色素系追記型ＤＶＤ媒体の記録再生方法及び色素系追記型ＤＶＤ媒体の記録再生装置に関する。
【背景技術】
【０００２】
現在、大容量光ディスクとしてＤＶＤ±Ｒの高速化開発が進められている。記録容量の向上の要素技術は、記録ピット微少化のための記録材料の開発、ＭＰＥＧ２に代表される画像圧縮技術の採用し、記録ピット読みとりのため、半導体レーザの短波長化等の技術開発が必要である。
【０００３】
これまで赤色波長域の半導体レーザとしては、バーコードリーダ、計測器用に６７０ｎｍ体のＡｌＧａＩｎＰレーザダイオードが商品化されているのみであったが、光ディスクの高密度化に伴い、赤色レーザが本格的に光ストレージ市場で使用されつつある。ＤＶＤドライブの場合、光源として６３５ｎｍ帯と６５０ｎｍ帯のレーザダイオードで２つの波長で規格化されている。一方、再生専用のＤＶＤ−ＲＯＭドライブは波長〜６５０ｎｍで商品化されている。
【０００４】
一般的にヒートモードによってピット（マーク）が形成される色素系追記型ＤＶＤ媒体は、特定の記録速度において記録時のレーザ発光による記録パルスのパルス幅と記録パワーが最適化され、異なった記録線速度では形成されるマークやスペースの状態が変化する。即ち、マークの形成に必要な加熱パルスによる熱容量の不足が生じたり、最適な分解温度に対して到達する加熱温度が異なってマークの平均長がばらついたり、最適な加熱パルスのデューティ比が異なって均一なマーク幅が得られなくなりマーク長に応じて太りや細りが生じたりするため、ジッタ特性が悪化してしまう。
【０００５】
また、ＤＶＤ±Ｒにおける高線速記録において、例えば、特許文献１等では記録線速度が４２ｍ／ｓ以下の記録であれば、高品位な記録が可能であるが、それ以上の高速の記録線速度で記録すると記録媒体によっては充分な品質が得られないという問題がある。
【０００６】
また、ＤＶＤ系媒体の物理フォーマットに関しては、ＤＶＤ−Ｒ媒体のフォーマットの場合、ランドプリピットと呼ばれるランド部の一部をカットしたフォーマットで規格化されている。この方式をとると、ランドプリピット信号（ＬＰＰｂ）が０．１６未満ではプリピットアドレス等のプリピット情報が良好に再生できず、０．３２を超えるとＬＰＰ信号自体がデータ領域においてノイズ的な振る舞いをし、データエラーが多く発生してしまう。従って、ＬＰＰは、記録材料に合ったカット幅をスタンパで微調整して、ＬＰＰｂが０．１６〜０．３２の範囲になるようにランドカット幅を制御しなければならなかった。
【０００７】
また、色素を記録層に用いた光記録媒体としては、例えば、ポリメチン色素或いはポリメチン色素と光安定化材を記録材料として用いるもの、テトラアザポルフィリン（ポルフィラジン）色素、又はシアニン色素＋アゾ金属キレート色素（塩形成色素）からなる層と反射層を有するもの、ホルマザン（金属キレート）色素＋その他の色素を記録材料として用いるもの、ジピロメテン（金属キレート）色素＋その他の色素を記録材料として用いるものなどが数多く知られている。更に、記録材料に色素を用いマルチパルス記録を行うものも多数知られている。
しかしながら、色素系追記型ＤＶＤ媒体に対し１パルスで記録を行い、かつ高線速記録を行う際の記録波形に着目し、記録再生の最適化を図った技術は、未だ提供されていないのが現状である。
【０００８】
【特許文献１】特開２００１−３０３４００号公報
【発明の開示】
【発明が解決しようとする課題】
【０００９】
本発明は、従来における諸問題を解決し、以下の目的を達成することを課題とする。即ち、本発明は、色素系追記型ＤＶＤ媒体に対し、いずれの線速度でも低ジッタ、低エラー率な記録が可能であり、ＤＶＤ−Ｒで用いているランドプリピットフォーマットよりも簡単に製造可能な高周波ウォブルフォーマットでデータ部の書き足しを効率よく実施でき、しかも、現在、大量に製造されているＣＤ−Ｒ、ＣＤ−ＲＷとほぼ同一フォーマットの色素系追記型ＤＶＤ媒体に対して記録が可能である色素系追記型ＤＶＤ媒体の記録再生方法及び色素系追記型ＤＶＤ媒体の記録再生装置を提供することを目的とする。
また、本発明は、ＣＤ系媒体に比べて短波長に発振波長を有する半導体レーザを用いる追記型ＤＶＤシステムの新フォーマット方式であって、ＬＰＰ方式と同様、データの書き足し部における未記録領域を無くす有効な方式、更には、ＤＶＤ−Ｒランドプリピット方式に比較して、スタンパ作製時に於ける微細なカット幅制御やＬＰＰ信号のデータ部への漏れ出しによるデータエラーが生じない色素系追記型ＤＶＤ媒体の記録再生方法及び色素系追記型ＤＶＤ媒体の記録再生装置を提供することを目的とする。
【課題を解決するための手段】
【００１０】
前記課題を解決するための手段としては、以下の通りである。即ち、
＜１＞  ウォブルを設けた案内溝を有する基板上に少なくとも色素含有記録層を有する色素系追記型ＤＶＤ媒体における該色素含有記録層に対し、最短長マークを先端部が高出力化された１つのパルス光で記録し、２番目以降の長さのマークをパルス先端部とパルス後端部の２箇所が一定時間高出力化され、該パルス先端部パワーは前記最短長マークの先端部パワーと等しく、該パルス後端部パワーは前記最短長マークの後端部パワーと等しい１つのパルス光でマークを記録し、該記録を再生光で再生する色素系追記型ＤＶＤ媒体の記録再生方法であって、
前記マーク記録時におけるパルス後端部以降のクーリングパルスの照射光量が一定時間０．１ｍＷ以下であり、かつ記録線速度が４２ｍ／ｓ以上であることを特徴とする色素系追記型ＤＶＤ媒体の記録再生方法である。
＜２＞  パルス後端部以降にクーリングパルスを照射する時間が、最短長スペースの１／６〜６／６の長さである前記＜１＞に記載の色素系追記型ＤＶＤ媒体の記録再生方法である。
＜３＞  直前のスペース長が最短長であるマークを形成する記録パルスの加熱パルス幅を、該マークの長さが最短長であるか否かで区別し、最短長マークの加熱パルス幅を最短長でないマークの加熱パルス幅よりも長く設定し、かつ、最短長マークを形成する記録パルスの加熱パルス幅を、該最短長マークの直前のスペース長が最短長であるか否かで区別し、直前のスペース長が最短長であるマークの加熱パルス幅を、直前のスペース長が最短長でないマークの加熱パルス幅よりも短く設定する前記＜１＞から＜２＞のいずれかに記載の色素系追記型ＤＶＤ媒体の記録再生方法である。
＜４＞  ウォブルは、基本クロック周期をＴとして４Ｔ〜９６Ｔ相当の周波数とする前記＜１＞から＜３＞のいずれかに記載の色素系追記型ＤＶＤ媒体の記録再生方法である。
＜５＞  ウォブルの振幅（Ｗｏ）と、トラックエラーを検出制御するための２分割光検出器による差信号であるプッシュプル振幅（ＰＰ）との比（Ｗｏ／ＰＰ）が、次式、０．１≦Ｗｏ／ＰＰ≦０．４を満たすように同期合わせする前記＜１＞から＜４＞のいずれかに記載の色素系追記型ＤＶＤ媒体の記録再生方法である。
＜６＞  記録光の波長が６００〜７２０ｎｍである前記＜１＞から＜５＞のいずれかに記載の色素系追記型ＤＶＤ媒体の記録再生方法である。
＜７＞  記録光及び再生光の波長±５ｎｍの波長域の光に対し、色素含有記録層単層の屈折率ｎが１．５≦ｎ≦３．０であり、かつ消衰係数ｋが０．０２≦ｋ≦０．２である前記＜１＞から＜６＞のいずれかに記載の色素系追記型ＤＶＤ媒体の記録再生方法である。
＜８＞  色素含有記録層の分解開始温度が１００〜３６０℃である前記＜１＞から＜７＞のいずれかに記載の色素系追記型ＤＶＤ媒体の記録再生方法である。
＜９＞  色素系追記型ＤＶＤ媒体が、基板上に、色素含有記録層と、反射層、保護層、接着層、保護基板及び基板面ハードコート層から選択される少なくとも１つを有する前記＜１＞から＜８＞のいずれかに記載の色素系追記型ＤＶＤ媒体の記録再生方法である。
＜１０＞  色素系追記型ＤＶＤ媒体が反射層を有し、該反射層が金、銀、アルミニウム、及びこれらを主成分とする合金のいずれかを含む前記＜９＞に記載の色素系追記型ＤＶＤ媒体の記録再生方法である。
＜１１＞  色素系追記型ＤＶＤ媒体が保護層を有し、該保護層が紫外線硬化樹脂を含む前記＜９＞から＜１０＞のいずれかに記載の色素系追記型ＤＶＤ媒体の記録再生方法である。
＜１２＞  色素系追記型ＤＶＤ媒体が、第１基板と第２基板との間に、少なくとも色素含有記録層と反射層と保護層と接着層とをこの順に有する層構成、及び、少なくとも第１色素含有記録層と第１反射層と第１保護層と接着層と第２保護層と第２反射層と第２色素含有記録層とをこの順に有する層構成、のいずれかを有し、前記ＤＶＤ媒体の少なくとも片方の面に記録再生面を有する前記＜９＞から＜１１＞のいずれかに記載の色素系追記型ＤＶＤ媒体の記録再生方法である。
＜１３＞  接着層が、紫外線硬化樹脂を含む前記＜１２＞に記載の色素系追記型ＤＶＤ媒体の記録再生方法である。
＜１４＞  ウォブルを設けた案内溝を有する基板と、該基板上に少なくとも色素含有記録層を有する色素系追記型ＤＶＤ媒体と、
最短長マークを先端部が高出力化された１つのパルス光で記録し、２番目以降の長さのマークをパルス先端部とパルス後端部の２箇所が一定時間高出力化され、該パルス先端部パワーは前記最短長マークの先端部パワーと等しく、該パルス後端部パワーは前記最短長マークの後端部パワーと等しい１つのパルス光でマークを記録する記録手段と、
前記記録を再生光で再生する再生手段とを有してなり、
前記記録手段によるマーク記録時に、パルス後端部以降のクーリングパルスの照射光量が一定時間０．１ｍＷ以下であり、かつ記録線速度が４２ｍ／ｓ以上であることを特徴とする色素系追記型ＤＶＤ媒体の記録再生装置である。
＜１５＞  パルス後端部以降にクーリングパルスを照射する時間を、最短長スペースの１／６〜６／６の長さとする前記＜１４＞に記載の色素系追記型ＤＶＤ媒体の記録再生装置である。
＜１６＞  直前のスペース長が最短長であるマークを形成する記録パルスの加熱パルス幅を、該マークの長さが最短長であるか否かで区別し、最短長マークの加熱パルス幅を最短長でないマークの加熱パルス幅よりも長く設定し、かつ、最短長マークを形成する記録パルスの加熱パルス幅を、該最短長マークの直前のスペース長が最短長であるか否かで区別し、直前のスペース長が最短長であるマークの加熱パルス幅を、直前のスペース長が最短長でないマークの加熱パルス幅よりも短く設定する前記＜１４＞から＜１５＞のいずれかに記載の色素系追記型ＤＶＤ媒体の記録再生装置である。
【００１１】
本発明の色素系追記型ＤＶＤ媒体の記録再生方法は、ウォブルを設けた案内溝を有する基板上に少なくとも色素含有記録層を有する色素系追記型ＤＶＤ媒体における該色素含有記録層に対し、最短長マークを先端部が高出力化された１つのパルス光で記録し、２番目以降の長さのマークをパルス先端部とパルス後端部の２箇所が一定時間高出力化され、該パルス先端部パワーは前記最短長マークの先端部パワーと等しく、該パルス後端部パワーは前記最短長マークの後端部パワーと等しい１つのパルス光でマークを記録し、該記録を再生光で再生し、前記マーク記録時におけるパルス後端部以降のクーリングパルスの照射光量が一定時間０．１ｍＷ以下であり、かつ記録線速度が４２ｍ／ｓ以上である。その結果、いずれの線速度でも低ジッタ、低エラー率な記録が可能であり、ＤＶＤ−Ｒで用いているランドプリピットフォーマットよりも簡単に製造可能な高周波ウォブルフォーマットでデータ部の書き足しを効率よく実施でき、しかも、現在、大量に製造されているＣＤ−Ｒ、ＣＤ−ＲＷとほぼ同一フォーマットの色素系追記型ＤＶＤ媒体に対して記録が可能である。
【００１２】
本発明の色素系追記型ＤＶＤ媒体の記録再生装置は、ウォブルを設けた案内溝を有する基板と、該基板上に少なくとも色素含有記録層を有する色素系追記型ＤＶＤ媒体と、
最短長マークを先端部が高出力化された１つのパルス光で記録し、２番目以降の長さのマークをパルス先端部とパルス後端部の２箇所が一定時間高出力化され、該パルス先端部パワーは前記最短長マークの先端部パワーと等しく、該パルス後端部パワーは前記最短長マークの後端部パワーと等しい１つのパルス光でマークを記録する記録手段と、
前記記録を再生光で再生する再生手段とを有してなり、
前記記録手段によるマーク記録時に、パルス後端部以降のクーリングパルスの照射光量が一定時間０．１ｍＷ以下であり、かつ記録線速度が４２ｍ／ｓ以上である。その結果、いずれの線速度でも低ジッタ、低エラー率な記録が可能であり、ＤＶＤ−Ｒで用いているランドプリピットフォーマットよりも簡単に製造可能な高周波ウォブルフォーマットでデータ部の書き足しを効率よく実施でき、しかも現在、大量に製造されているＣＤ−Ｒ、ＣＤ−ＲＷとほぼ同一フォーマットの色素系追記型ＤＶＤ媒体に対して記録が可能である。
【発明の効果】
【００１３】
本発明によると、従来における問題を解決することができ、色素系追記型ＤＶＤ媒体に対し、いずれの線速度でも低ジッタ、低エラー率な記録が可能であり、ＤＶＤ−Ｒで用いているランドプリピットフォーマットよりも簡単に製造可能な高周波ウォブルフォーマットでデータ部の書き足しを効率よく実施でき、しかも、現在、大量に製造されているＣＤ−Ｒ、ＣＤ−ＲＷとほぼ同一フォーマットの色素系追記型ＤＶＤ媒体に対して記録が可能な色素系追記型ＤＶＤ媒体の記録再生方法及び色素系追記型ＤＶＤ媒体の記録再生装置を提供することができる。
【発明を実施するための最良の形態】
【００１４】
（色素系追記型ＤＶＤ媒体の記録再生方法及び色素系追記型ＤＶＤ媒体の記録再生装置）
本発明の色素系追記型ＤＶＤ媒体の記録再生方法は、色素系追記型ＤＶＤ媒体における該色素含有記録層に対し、最短長マークを先端部が高出力化された１つのパルス光で記録し、２番目以降の長さのマークをパルス先端部とパルス後端部の２箇所が一定時間高出力化され、該パルス先端部パワーは前記最短長マークの先端部パワーと等しく、該パルス後端部パワーは前記最短長マークの後端部パワーと等しい１つのパルス光でマークを記録し、該記録を再生光で再生し、前記マーク記録時におけるパルス後端部以降のクーリングパルスの照射光量が一定時間０．１ｍＷ以下であり、かつ記録線速度が４２ｍ／ｓ以上である。
本発明の色素系追記型ＤＶＤ媒体の記録再生装置は、色素系追記型ＤＶＤ媒体と、記録手段と、再生手段とを有してなり、更に必要に応じてその他の手段を有してなる。
本発明の色素系追記型ＤＶＤ媒体の記録再生方法は、本発明の色素系追記型ＤＶＤ媒体の記録再生装置により好適に実施することができる。
【００１５】
本発明における前記最短長マークを先端部が高出力化された１つのパルス光で記録し、２番目以降の長さのマークをパルス先端部とパルス後端部の２箇所が一定時間高出力化され、該パルス先端部パワーは前記最短長マークの先端部パワーと等しく、該パルス後端部パワーは前記最短長マークの後端部パワーと等しい１つのパルス光は、基本的な最適パルス照射パターンである。
前記２番目以降の長さのマーク、即ち、最短長マーク以外のマークについて、パルスの先端部と後端部を上乗せパワーを加えて高出力化する長さとしては、基本クロック周期Ｔの０．２倍〜２．５倍（即ち、０．２Ｔ〜２．５Ｔ）の範囲が好ましく、０．５Ｔ〜２Ｔがより好ましい。
また、前記最短長マークのパルス先端が高出力化するパルスの長さとしては０．２Ｔ〜２．０Ｔの範囲が好ましく、０．３Ｔ〜１．５Ｔの範囲がより好ましい。また、最短長マークのパルス先端部とそれ以外のマークのパルス先端部とパルス後端部が高出力化されており、その最短長マークのパルス先端部光量と、それ以外のマークのパルス先端部光量が等しく、最短長マークのパルス後端部光量と、それ以外のマークのパルス後端部光量が等しい。
各マークのパルス先端の先端高出力部パワーをＷ０、各マークのパルス後端のパワーをＷ１、短い方から２番目以降の長さのマークのパルス上乗せ無しパワーをＷ２とすると、Ｗ０／Ｗ１は１．０１〜２．００の範囲が好ましく、１．０２〜１．５０の範囲がより好ましい。また、Ｗ１／Ｗ２は１．０５〜３．００の範囲が好ましく、１．０８〜２．００の範囲がより好ましい。
【００１６】
また、各パルスの後端部以降に設けるクーリングパルスの好ましい照射条件として、パルス後端部以降にクーリングパルスを照射する時間が、最短長スペースの１／６〜６／６の長さとすることが好ましい。この範囲を外れると本発明の効果を得難くなることがあり、上記のようなパルス波形を選択することにより、特に高線速記録において低ジッタで良好な記録が可能となる。
【００１７】
色素系の光記録媒体は、高線速化を実現しようとすると記録パワーを大きくしなければならず、その結果、マーク間の熱干渉が一層起き易くなる。そこで、マークを形成する際のマークエッジ切れを良好にするために本発明が有効となる。従来技術で記録を行うと、最も低いジッタが得られるパワーとエラーが最小となるパワーにズレが生じてパワーマージンが減少する。具体的には、記録線速度が４２ｍ／ｓ以上の高線速記録においては最も低いジッタが得られる記録パワーでは記録信号のアシンメトリがマイナス側になる傾向が現れ、エラー測定では如何に低ジッタといえどもエラーが出易くなってしまう。例えば、アシンメトリがマイナスで低ジッタ、低エラーであっても、光記録媒体、ドライブの経年変化等、例えばレンズの汚れによる実効出射パワーの低減で、アシンメトリがゼロ付近で記録された光記録媒体よりはエラーが出易い。
【００１８】
また、１マークを複数パルス光（マルチパルス）で書き込む場合においても、パルス光を最適化すれば、上述の低アシンメトリ問題を解決することは可能であるが、複数のパルス光を用いるため、パルス光の立ち上がり、立ち下がり時間にばらつきを生じた際に記録品質自体がばらつく可能性がある。このばらつきは高線速記録になるほど発生し易くなることは言うまでもない。これに対し、本発明では１マーク当り１パルス光で記録するため、該マルチパルス光記録に比べて記録品質のばらつきが少ない記録方法を提供できる利点がある。また、書き込み中のアドレス検出においては、マルチパルス法よりも単純な記録波形であるため記録時の光量を平均化し易く、スペース部の反射光量だけでなくマーク部の光量も平均化してアドレス検出することが可能となり、パルス後端部以降のクーリングパルスの照射光量が、一定時間０．１ｍＷ以下であってもアドレス検出を比較的容易に実施できるという利点を有する。
【００１９】
本発明においては、記録線速度が４２ｍ／ｓ以上の高線速記録における記録品質の向上が大きな課題であるが、高速での記録は最短長マークをいかに均一に形成するかが記録品質に大きく寄与する。そこで、本発明は、最短長マークを形成する先端パルスを高出力化することによりマーク形成を均一かつ確実に形成するように最短長マーク形成品質の向上を計ったものである。また、短い方から２番目以降のマークのパルス先端部も高出力化し、更にパルス後端部をパルス先端部より低いレベルで高出力化することで記録品質の向上を計っている。短い方から２番目以降のマークのパルス後端部の高出力化をするとアシンメトリ改善効果に寄与する。言い換えると、短い方から２番目以降のマークを形成する場合はパルス先端部のみをかさ上げすると、ジッタは改善できるが、本発明の目的である低アシンメトリ問題の改善には少なくともパルス後端部をかさ上げすることが有効である。
【００２０】
ここで、本発明の記録波形の一例について図４及び図５に示す。
本発明においては、熱干渉の影響を考慮して、直前のスペース長が最短長であるマークを形成する記録パルスの加熱パルス幅を、該マークの長さが最短長であるか否かで区別し、最短長マークの加熱パルス幅を最短長でないマークの加熱パルス幅よりも長く設定することで、より低ジッタな記録が実現できる。
また、最短長マークを形成する記録パルスの加熱パルス幅を、該最短長マークの直前のスペース長が最短長であるか否かで区別し、直前のスペース長が最短であるマークの加熱パルス幅を、直前のスペース長が最短でないマークの加熱パルス幅よりも短く設定することで、一層低ジッタな記録が実現できる。
【００２１】
前記加熱パルス幅を短く設定するための補正量（長さ）は、０．０２Ｔ〜０．１０Ｔの範囲が好ましい。形成されるマークの直前のスペース長が最短長である場合に、そのマークを形成するパルスのパルス幅が他のマークの場合と略等しいと、熱干渉により該直前のスペース長が短くなり、ジッタが若干悪化する。そこで、このような場合のみ、マークを記録するための加熱パルス幅を短くすると効果がある。なお、パルス幅を短くする場合は加熱パルスの前エッジを短くすることが効果的なのは言うまでもない。
【００２２】
また、形成されるマークの直前のスペース長が最短長であるとき、そのマークを形成するパルスの加熱パルス幅が０．１０Ｔよりも短いと、マーク長自身が短くなり過ぎるので好ましくない。
前記最短長マークの加熱パルス幅を他のマークの場合よりも長く設定する際の補正量（長さ）は、０．０５Ｔ〜０．２５Ｔが好ましい。特に記録線速度が大きくなると最短長マークが形成し難くなるため、上記の範囲で補正して最短長マークのパルス幅を長くする。
【００２３】
ここで、加熱パルス幅の補正量の具体例を下記表１に示す。
【表１】
2006286174.tif 000003
【００２４】
前記色素含有記録層の光学特性としては、記録再生波長近傍の長波長近傍の波長域の光、即ち、記録光及び再生光の波長±５ｎｍの波長域の光に対する色素含有記録層単層の屈折率ｎは１．５≦ｎ≦３．０が好ましい。前記屈折率ｎが１．５未満であると、十分な光学的変化を得難く、記録変調度が低くなることがあり、３．０を超えると、波長依存性が高くなり過ぎ、記録再生波長領域であってもエラーとなってしまうことがある。
前記屈折率が１．４、１．５、１．６となるように後述する実施例１で用いた基板に色素膜を形成した場合の未記録部の反射率は各々０．４３％、０．４６％、０．４７％となり追記型ＤＶＤの反射率仕様０．４５％以上を満たすためには１．５以上が妥当である。一方、屈折率の上限値に関しては３．０を超える有機化合物が存在しないため、規定したものである。また、記録光及び再生光の波長±５ｎｍの波長域の光に対する色素含有記録層単層の消衰係数ｋは０．０２≦ｋ≦０．２が好ましい。前記消衰係数ｋが０．０２未満であると、記録感度が悪くなることがあり、０．２を超えると、５０％以上の反射率を得ることが困難となることがある。前記消衰係数が０．０１、０．０２、０．０３となるように後述する実施例１で用いた基板に色素膜を形成した場合の最適記録パワーを測定する。その結果、消衰係数が０．０２のときの最適記録パワーを１．０に規格化した場合の最適記録パワー値は、それぞれ、１．４５、１．０、０．９９となり、記録感度特性から消衰係数の下限値は０．０２が妥当である。一方、消衰係数が０．１９、０．２０、０．２１となるように後述する実施例１で用いた基板に色素膜を形成した場合の未記録部の反射率を測定したところ、各々０．４７％、０．４６％、０．４３％となり、追記型ＤＶＤの反射率仕様０．４５％以上を満たすためには消衰係数０．２以下が妥当であることがわかった。
【００２５】
なお、ＤＶＤは、再生専用機では６５０ｎｍ付近で規格化されているが、記録型媒体の記録光の波長はオーサリング専用媒体の６３５ｎｍの他に、一般用途として６５０〜６６０ｎｍで規格化されている。しかしながら、これらの波長はあくまで中心波長であり、ＬＤの製造のバラツキで短波長側、長波長側に振れる。また、ＬＤは、その特性上、一般的に温度が上昇すると波長が長波長側にシフトする。本発明は上記波長域を含む６００〜７２０ｎｍの記録波長で実施可能な方法である。
【００２６】
次に、基板に設ける蛇行した案内溝のウォブル特性について説明する。ウォブル周波数を特定するためのＴは基本クロック周期である。通常、ウォブルの周波数帯としては１５０Ｔ〜４００Ｔ相当が用いられているが、この周波数帯は、周波数変調及び位相変調のいずれであってもデータの書き足しをする場合にウォブルの周波数が低すぎて、前データと書き足しデータとの間がかなり空いてしまい高密度記録には不向きである。これに対しＤＶＤ−ＲではＬＰＰを設け、該ＬＰＰ信号によりデータの書き込む位置を制御している。
【００２７】
しかしながら、前記ＬＰＰ方式では、ＬＰＰでアドレス検出し、最終的にはＤＶＤ−Ｒもウォルブで最終書き足し位置を制御している。ＤＶＤ−Ｒでのウォルブ周期は１８６Ｔ（１×でのウォルブ周波数：１４０．６ｋＨｚ）で位置決めしているので、書き足しデータ間隔が空いてしまう。ＬＰＰの信号振幅が小さ過ぎるとＬＰＰが良好に読み出せず、逆にＬＰＰが大き過ぎると今度はＬＰＰ信号自体が書き込みデータへ漏れ込んでデータエラーが多発するという不具合が生じるため、ＬＰＰには、０．１６≦ＬＰＰｂ≦０．３２、好ましくは０．１８≦ＬＰＰｂ≦０．２６という制約が生じ、スタンパ作製の際、ランドのカット幅を微細に制御しなくてはならない。これに対し、高周波ウォブルにすればＬＰＰは必要なくなり、ウォブルを変調して同期をとるため、ＬＰＰ方式の様にデータエラーが多発するような事態には至らない。本発明で規定するように、高周波ウォブルの好ましい周波数は４Ｔ〜９６Ｔである。４Ｔより小さいと高周波数すぎて検出し難くなり、回転制御やアドレス検知信頼性の点でも問題がある。周期が４Ｔ以下の高周波な周期になると、最低速である３．５ｍ／ｓで回転させてもウォブル周期を正確に検出できないことが判明しており、４Ｔであれば検出可能という明確なスレッシュが存在することが判明している。具体的には、ウォブルのワードエラーレートが周波数５Ｔ、４Ｔでは０．２％、０．３％対し、３Ｔでは１．４％と明らかにスレッシュが存在する。なお、用いたサンプルはウォブル条件以外、後述する実施例１で示した条件と同様の条件である。
一方、９６Ｔより大きくなると周波数が低すぎて、データを追記書きする際の継ぎ目に間隔が開きすぎ、容量の低下やデータ処理速度低下等の問題を生じる。具体的に数値化すれば、９６Ｔ周期のウォブルを有するディスクにデータを追記する場合、最大で９６チャンネルビット分の間隔が空いてしまう。追記回数が増えれば増えるほどこのデータ損失量は増加する。ＤＶＤ規格の４．７ＧＢを保証するためには９６Ｔを超える周期のウォブルは採用できない。ユーザー保証領域を守れなくなる可能性があるため、例えば、最外周に１，０００，０００ビット程度の予備領域を儲けることは可能であり、追記回数１００００万回を想定して、ユーザー領域を保証している。１００万ビットと９６万ビットの差分は予備の予備として扱っている。
【００２８】
前記ＤＶＤ媒体のウォブルの振幅は、適当なフィルター、例えば、４ＭＨｚ、３０ｋＨｚのハイ、ロウパスフィルターを通した信号のウォブル振幅（Ｗｏ）と、適当なフィルター、例えば３０ｋＨｚのフィルターを通したプシュプル信号（ＰＰ）の比Ｗｏ／ＰＰが、０．１≦Ｗｏ／ＰＰ≦０．４を満足するようなものであれば、本発明の目的であるウォブルでの同期合わせは容易であり、更に好ましくは０．１５≦Ｗｏ／ＰＰ≦０．３０の範囲である。前記Ｗｏ／ＰＰの値が０．１未満では同期をとるのに不十分な信号強度であり、０．４を超えるとデータ部エラーが増えてくる傾向にある。但し、ＬＰＰ方式に比べ、ＬＰＰが大きな媒体のデータエラー発生への影響度は小さくウォブル振幅の増加に伴うデータエラーは緩やかである。
前記Ｗｏ／ＰＰの値が０．１より低い値ではウォブルの検出が不可能、もしくは信頼性が下がるものであり、Ｗｏ／ＰＰ値が０．１以上では、検出信頼性が確保可能となる。即ち、以下の関係がある。Ｗｏ／ＰＰ＝０．０９８では、ウォブルワードエラーが１．４％であり、Ｗｏ／ＰＰ＝０．１００では、ウォブルワードエラーが０．４％であり、Ｗｏ／ＰＰ＝０．１０２では、ウォブルワードエラーが０．３％である。
【００２９】
一方、Ｗｏ／ＰＰの上限値については、後述する実施例１の光記録媒体と同様の構成でＷｏ／ＰＰ値を０．３５０、０．３７５、０．４０、０．４２５、０．４５０と振った光記録媒体を試作して、実施例１と同様に記録を行い、その記録部データのＰＩエラーを測定したところ、以下の結果が得られた。Ｗｏ／ＰＰ＝０．３５０では、ＰＩエラー数が６であり、Ｗｏ／ＰＰ＝０．３７５では、ＰＩエラー数が８であり、Ｗｏ／ＰＰ＝０．４００では、ＰＩエラー数が１０であり、Ｗｏ／ＰＰ＝０．４２５では、ＰＩエラー数が１００であり、Ｗｏ／ＰＰ＝０．４５０では、ＰＩエラー数が１５０である。この結果から、Ｗｏ／ＰＰ値が０．４００を超えるとウォブルの蛇行信号がデータ部に悪影響を及ぼし始め、急激にエラー数が増加することがわかった。
【００３０】
更に、スタンパを作製する際に、ＬＰＰ方式のＬＰＰカット幅を前述した０．１６〜０．３２の範囲内にするには高度なカット幅制御技術を必要とするが、本発明の高周波ウォブル方式においては、高周波発生源とウォブルの振り量の大きさ（ウォブル振り量を制御する回路で振り量は任意に再現性よく作成できる）を管理しさえすれば目的が達成されるため、スタンパの歩留まりや光記録媒体の歩留まりを飛躍的に向上させることができる。
【００３１】
また、上記のフォーマットを有する基板の溝形状としては、有機色素を用いて溶剤塗工法により色素含有記録層を形成する場合を例にとると、溝深さは１００〜２５０ｎｍ（１０００〜２５００Å）が好ましく、１５０〜２００ｎｍ（１５００〜２０００Å）がより好ましい。前記溝深さが１００ｎｍ（１０００Å）未満であると、プシュプル信号が充分にとれずトラッキング制御ができないことがあり、２５０ｎｍ（２５００Å）を超えると、基板成形の際に転写性が甘くなることがある。更に、色素含有記録層を設けた場合の色素溝深さはウォブル周波数をｍＴ（ただし、ｍは自然数を表す）とし、色素溝深さをｄ１とした時に１２００≦ｄ１×ｍ≦１６００００の範囲が好ましい。前記（ｄ１×ｍ）が１２００を下回ると、充分な差信号が得られず、記録再生時に充分なトッラキングが行えないことがあり、前記（ｄ１×ｍ）が１６００００を上回ると、逆に発振してしまうため、やはりトラッキングには好ましくなく、更に前述した基板成形の転写限界に起因する基板溝深さの限界もあって、実質的には１６００００を上回ることはできない。
【００３２】
また、記録密度４〜５ＧＢの容量を確保するためにトラックピッチは０．６４〜０．８μｍが好ましい。溝幅に関しては、記録材料によって異なるが、ほぼ全ての有機材料において、半値幅０．１８〜０．４０μｍの幅で適用できる。
【００３３】
本発明の色素系追記型ＤＶＤ媒体の記録再生方法は、上述したような特徴を有し、各種光記録媒体に用いられるが、以下に説明する片面単層型光記録媒体、両面型光記録媒体、片面２層型光記録媒体に特に好適に用いられる。
【００３４】
＜片面単層型光記録媒体＞
前記片面単層型光記録媒体は、基板上に、少なくとも色素含有記録層、及び反射層を有し、更に接着層を介して保護基板を貼り合わせてなり、更に必要に応じてその他の層を有してなる。
ここで、図１Ａ〜図１Ｃは、本発明の片面単層型の追記型光記録媒体（ＤＶＤ＋Ｒ又はＤＶＤ−Ｒ）の層構成の一例を示す概略断面図である。
図１Ａは、基板１／色素含有記録層２／反射層６／保護層４からなるＤＶＤ＋Ｒ又はＤＶＤ−Ｒを示す。
図１Ｂは、基板１／色素含有記録層２／反射層６／保護層４／接着層８／保護基板７からなるＤＶＤ＋Ｒ又はＤＶＤ−Ｒを示す。
図１Ｃは、ハードコート層５／基板１／下引き層３／色素含有記録層２／反射層６／保護層４／接着層８／保護基板７からなるＤＶＤ＋Ｒ又はＤＶＤ−Ｒを示す。
これらの中でも、本発明の対象となる色素系追記型ＤＶＤ媒体の好ましい基本構成は、図１Ｂ及び図１Ｃに示すような、第１の基板と第２の基板（以下、第１基板、第２基板と称することがある）とを色素含有記録層を介して接着剤で貼り合わせた構造を基本構造とするものである。
【００３５】
−基板−
前記基板としては、基板側より記録及び再生の少なくともいずれかを行う場合には使用レーザ光に対して透明でなければならず、色素含有記録層側から記録及び再生の少なくともいずれかを行う場合には、基板は透明である必要はない。従って、本発明において、基板２枚をサンドイッチ状で用いる場合は、例えば、一方の基板（第２の基板）のみが透明であれば、他方の基板（第１の基板）の透明、不透明は問わない。
【００３６】
前記基板材料としては、特に制限はなく、目的に応じて適宜選択することができ、例えば、ポリエステル樹脂、アクリル樹脂、ポリアミド樹脂、ポリカーボネート樹脂、ポリオレフィン樹脂、フェノール樹脂、エポキシ樹脂、ポリイミド樹脂等のプラスチックス、ガラス、セラミックス、金属、等を用いることができる。
なお、基板を１層しか用いない場合はその基板表面に、また基板２枚をサンドイッチ状で用いる場合は第１基板の表面に、トラッキング用の案内溝や案内ピット、更にアドレス信号等のプレフォーマットが形成されていることが好ましい。
【００３７】
前記基板は、円盤状であり、通常、深さ１０００〜２５００Å（１００〜２５０ｎｍ）の案内溝を有している。また、溝幅は、半値幅で０．１８〜０．３６μｍが好ましい。前記半値幅が０．１８μｍ以上であると、十分なトラッキングエラー信号強度を得やすいので好ましい。一方、０．３６μｍ以下であると、記録したときに記録部が横に広がりにくいので好ましい。
また、トラックピッチは、通常、０．７〜１．０μｍが好ましく、高容量化の用途には０．７〜０．８μｍが好ましい。
【００３８】
−色素含有記録層−
前記色素含有記録層はレーザ光の照射により何らかの光学的変化を生じさせ、その変化により情報を記録するものであり、その材料としては有機色素を主成分とするものを用いる。ここで、主成分とは、記録再生に必要十分な量の有機色素を含有することを意味するが、通常は、必要に応じて適宜添加する少量の添加剤を除き、有機色素のみを用いる。
前記有機色素としては、例えば、アゾ系色素、ホルマザン系色素、ジピロメテン系色素、（ポリ）メチン系色素、ナフタロシアニン系色素、フタロシアニン系色素、テトラアザポルフィリン系色素、スクアリリウム系色素、クロコニウム系色素、ピリリウム系色素、ナフトキノン系色素、アントラキノン系（インダンスレン系）色素、キサンテン系色素、トリフェニルメタン系色素、アズレン系色素、テトラヒドロコリン系色素、フェナンスレン系色素、トリフェノチアジン系色素、或いはそれらの金属錯体などが挙げられる。これらの１種を単独で用いてもよいし、２種以上を組み合わせても構わない。
これらの中でも、アゾ（金属キレート）色素、ホルマザン（金属キレート）色素、スクアリリウム（金属キレート）色素、ジピロメテン（金属キレート）色素、トリメチンシアニン色素、テトラアザポルフィリン色素が特に好ましい。
前記色素は熱分解特性として、分解開始温度は１００〜３６０℃が好ましく、１００〜３５０℃がより好ましい。前記分解開始温度が３６０℃を超えると、記録時のピット形成がうまく行われずジッタ特性が悪くなることがある。一方、１００℃未満であると、ディスクの保存安定性が悪化することがある。
【００３９】
前記色素中に金属、又は金属化合物を添加することもできる。該金属又は金属化合物としては、例えば、Ｉｎ、Ｔｅ、Ｂｉ、Ｓｅ、Ｓｂ、Ｇｅ、Ｓｎ、Ａｌ、Ｂｅ、ＴｅＯ２、ＳｎＯ、Ａｓ、Ｃｄ等を分散混合、或いは積層の形態で用いることもできる。
また、前記色素中に高分子材料を配合させることもできる。該高分子材料としては、例えば、アイオノマー樹脂、ポリアミド系樹脂、ビニル系樹脂、天然高分子化合物、シリコーン、液状ゴム等の種々の材料もしくはシランカップリング剤等を分散混合して用いてもよいし、あるいは特性改良の目的で安定剤（例えば、遷移金属錯体）、分散剤、難燃剤、滑剤、帯電防止剤、界面活性剤、可塑剤等を一緒に用いることもできる。
【００４０】
前記色素含有記録層の形成は、蒸着法、スパッタリング法、ＣＶＤ法又は溶液塗布法等の通常の手段によって行うことができる。前記塗布法を用いる場合には、前記色素等を有機溶剤等に溶解してスプレー法、ローラーコーティング法、ディッピング法、スピンコーティング等の慣用のコーティング法によって行うことができる。
【００４１】
前記有機溶剤としては、特に制限はなく、目的に応じて適宜選択することができ、例えば、メタノール、エタノール、イソプロパノール、２，２，３，３−テトラフルオロプロパノール等のアルコール類；アセトン、メチルエチルケトン、シクロヘキサノン等のケトン類；Ｎ，Ｎ−ジメチルホルムアミド、Ｎ，Ｎ−ジメチルアセトアミド等のアミド類；ジメチルスルホキシド等のスルホキシド類；テトラヒドロフラン、ジオキサン、ジエチルエーテル、エチレングリコールモノメチルエーテル等のエーテル類；酢酸メチル、酢酸エチル等のエステル類；クロロホルム、塩化メチレン、ジクロロエタン、四塩化炭素、トリクロロエタン等の脂肪族ハロゲン化炭化水素類；ベンゼン、キシレン、モノクロロベンゼン、ジクロロベンゼン等の芳香族類；メトキシエタノール、エトキシエタノール等のセロソルブ類；ヘキサン、ペンタン、シクロヘキサン、メチルシクロヘキサン等の炭化水素類、等が挙げられる。
前記色素含有記録層の膜厚は、特に制限はなく、目的に応じて適宜選択することができ、通常１００Å（１０ｎｍ）〜１０μｍが好ましい。
【００４２】
−下引き層−
前記下引き層は、（１）接着性の向上、（２）水又はガス等のバリア、（３）色素含有記録層の保存安定性の向上、（４）反射率の向上、（５）溶剤からの基板や色素含有記録層の保護、及び（６）案内溝、案内ピット、プレフォーマット等の形成等を目的として使用される。
前記（１）の目的としては、高分子材料、例えば、アイオノマー樹脂、ポリアミド樹脂、ビニル系樹脂、天然樹脂、天然高分子、シリコーン、液状ゴム等の種々の高分子物質、及びシランカップリング剤等を用いることができる。前記（２）及び（３）の目的としては、前記高分子材料以外に無機化合物、例えば、ＳｉＯ２、ＭｇＦ２、ＳｉＯ、ＴｉＯ２、ＺｎＯ、ＴｉＮ、ＳｉＮ等、更に金属、又は半金属、例えば、Ｚｎ、Ｃｕ、Ｎｉ、Ｃｒ、Ｇｅ、Ｓｅ、Ａｕ、Ａｇ、Ａｌ等を用いることができる。また、前記（４）の目的としては、金属、例えば、Ａｌ、Ａｇ等や、金属光沢を有する有機薄膜、例えば、メチン染料、キサンテン系染料等を用いることができる。前記（５）及び（６）の目的としては、紫外線硬化樹脂、熱硬化樹脂、熱可塑性樹脂等を用いることができる。
【００４３】
前記下引き層の膜厚は、特に制限はなく、目的に応じて適宜選択することができ、０．０１〜３０μｍが好ましく、０．０５〜１０μｍがより好ましい。
【００４４】
−反射層−
前記反射層の材料としては、単体で高反射率の得られる腐食されにくい金属、半金属等が挙げられ、例えば、Ａｕ、Ａｇ、Ｃｒ、Ｎｉ、Ａｌ、Ｆｅ、Ｓｎ等が挙げられるが、反射率、生産性の点からＡｕ、Ａｇ、Ａｌが最も好ましく、これらの金属、半金属は単独で使用してもよく、２種の合金としてもよい。
【００４５】
前記反射層は、各種気相成長法、例えば、真空蒸着法、スパッタリング法、プラズマＣＶＤ法、光ＣＶＤ法、イオンプレーティング法、電子ビーム蒸着法などによって形成できる。これらの中でも、スパッタリング法が、量産性、膜質等に優れている。
前記反射層の膜厚は、特に制限はなく、目的に応じて適宜選択することができ、５０〜５０００Å（５〜５００ｎｍ）が好ましく、１００〜３０００Å（１０〜３００ｎｍ）がより好ましい。
【００４６】
−保護層、及び基板表面ハードコート層−
前記保護層、又は基板表面ハードコート層は、（１）色素含有記録層（反射吸収層）の傷、ホコリ、汚れ等からの保護、（２）色素含有記録層（反射吸収層）の保存安定性の向上、（３）反射率の向上等を目的として使用される。これらの目的に対しては、前記中間層に示した材料を用いることができる。また、無機材料としては、例えば、ＳｉＯ、ＳｉＯ２等も用いることができる。有機材料としては、例えば、ポリメチルアクリレート樹脂、ポリカーボネート樹脂、エポキシ樹脂、ポリスチレン樹脂、ポリエステル樹脂、ビニル樹脂、セルロース、脂肪族炭化水素樹脂、芳香族炭化水素樹脂、天然ゴム、スチレンブタジエン樹脂、クロロプレンゴム、ワックス、アルキッド樹脂、乾性油、ロジン等の熱軟化性樹脂、熱溶融性樹脂、紫外線硬化樹脂も用いることができる。前記材料のうち保護層、又は基板表面ハードコート層に最も好ましい例としては生産性に優れた紫外線硬化樹脂である。
前記保護層又は基板表面ハードコート層の膜厚は、特に制限はなく、目的に応じて適宜選択することができ、０．０１〜３０μｍが好ましく、０．０５〜１０μｍがより好ましい。
【００４７】
前記単層型光記録媒体においては、前記下引き層、前記保護層、及び前記基板表面ハードコート層には色素含有記録層の場合と同様に、目的に応じて更に、安定剤、分散剤、難燃剤、滑剤、帯電防止剤、界面活性剤、可塑剤等を含有させることができる。
【００４８】
−保護基板−
前記保護基板は、この保護基板側からレーザ光を照射する場合には、使用レーザ光に対し透明でなくてはならず、単なる保護板として用いる場合には、透明性は問わない。前記保護基板として使用可能な基板材料は前記の基板材料と全く同様であり、例えば、ポリエステル樹脂、アクリル樹脂、ポリアミド樹脂、ポリカーボネート樹脂、ポリオレフィン樹脂、フェノール樹脂、エポキシ樹脂、ポリイミド樹脂等のプラスチック、ガラス、セラミック、金属等を用いることができる。
【００４９】
−接着剤、接着層−
前記接着剤としては、２枚の光記録媒体を接着できる材料であれば特に制限はなく、目的に応じて適宜選択することができ、生産性を考えると、紫外線硬化型接着剤又はホットメルト型接着剤が好ましい。
【００５０】
＜両面型光記録媒体＞
前記両面型光記録媒体は、図１Ａ〜図１Ｃに示す片面単層型光記録媒体を基板が外側に配置するように貼り合わせたものであり、例えば、図２に示すように、第１基板２１／第１色素含有記録層２２／第１反射層２６／第１保護層２４／接着層４０／第２保護層３４／第２反射層３６／第２色素含有記録層３２／第２基板３１の層構成を有してなる。
前記接着層における接着剤としては、２枚の光記録媒体を接着でき、記録再生のために照射する光の波長における光吸収が小さいことが好ましく、紫外線硬化性樹脂、熱可塑性樹脂などを用いることができる。
前記接着層の厚みは１０〜２００μｍが好ましく、３０〜１２０μｍがより好ましい。
前記両面型光記録媒体における第１基板２１、第２基板３１、第１色素含有記録層２２、第２色素含有記録層３２、第１反射層２６、第２反射層３６、第１保護層２４、及び第２保護層３４としては、上記片面単層型光記録媒体と同様のものを目的に応じて適宜選択して用いることができる。
【００５１】
＜片面２層型光記録媒体＞
前記片面２層型光記録媒体は、第１基板と、第２基板と、該第１基板と該第２基板との間に第１情報層、中間層、第２情報層をこの順に有してなり、更に必要に応じてその他の層を有してなる。
前記第１情報層は、レーザ光線入射側から、第１色素含有記録層、第１反射層、及び第１保護層をこの順に有し、更に必要に応じてその他の層を有する。
前記第２情報層は、レーザ光線入射側から、第２保護層、第２色素含有記録層、第２反射層をこの順に有し、更に必要に応じてその他の層を有してなる。
【００５２】
ここで、図３は、本発明の一実施形態に係わる片面２層型の色素系追記型ＤＶＤの概略断面図である。
この図３に示す片面２層型の色素系追記型ＤＶＤディスクは、２つの情報層を有する。各情報層は、有機色素材料を用いて形成される。各情報層への情報の記録は、第１基板からレーザ光線を入射させ、マークと呼ばれるパターンの記録により行われる。より具体的には、案内溝を有する第１基板１０１に、第１情報層１００を形成する。
前記第１情報層１００は、第１基板１０１上に、第１色素含有記録層１０２、第１反射層１０３、第１保護層１０４の順に積層された構成となっている。第１色素含有記録層１０２と第１基板１０１間は下引き層あるいは保護層を介して層成してもよく、機能向上のためそれらを積層化した構成でもよい。
【００５３】
一方、前記第２情報層２００は、案内溝を有する第２基板２０１に形成される。第２情報層２００は、第２基板側から、第２反射層２０２、第２色素含有記録層２０３、第２保護層２０４の順に積層されている。
【００５４】
前記第１情報層１００と第２情報層２００とは、略透明な接着層３００を中間層として所定の距離で隔てられ、貼り合わされて対向している。
【００５５】
前記中間層３００は、記録再生のために照射する光の波長における光吸収が小さいことが好ましく、材料としては、樹脂が成形性、コストの点で好適であり、紫外線硬化性樹脂、熱可塑性樹脂などを用いることができる。また、光ディスク貼り合わせ用の両面テープ（例えば、日東電工（株）の粘着シートＤＡ−８３２０）なども用いることができる。前記中間層３００は、記録再生を行う際に、ピックアップが第１情報層１００と第２情報層２００とを識別して光学的に分離可能とするものである。
前記中間層の厚みは１０〜７０μｍが好ましく、２０〜７０μｍがより好ましい。前記厚みが１０μｍより薄いと、層間クロストークが生じることがあり、７０μｍより厚いと、第２情報層を記録再生する際に球面収差が発生し、記録再生が困難になる傾向がある。
本発明の片面２層型光記録媒体における第１基板１０１、第２基板２０１、第１色素含有記録層１０２、第２色素含有記録層２０３、第１反射層１０３、第２反射層２０２、第１保護層１０４、及び第２保護層２０４としては、上記片面単層型光記録媒体と同様のものを目的に応じて適宜選択して用いることができる。
【００５６】
なお、前記第２色素含有記録層２０３と中間層３００の間には第２色素含有記録層２０３を化学的及び物理的に保護する目的でバリア層（第２保護層）２０４を設けてもよい。
【００５７】
＜色素系追記型ＤＶＤ媒体の記録再生装置＞
本発明の色素系追記型ＤＶＤ媒体の記録再生装置は、色素系追記型ＤＶＤ媒体と、記録手段と、再生手段とを有してなり、更に必要に応じてその他の手段を有してなる。
前記記録手段は、最短長マークを先端部が高出力化された１つのパルス光で記録し、２番目以降の長さのマークをパルス先端部とパルス後端部の２箇所が一定時間高出力化され、該パルス先端部パワーは前記最短長マークの先端部パワーと等しく、該パルス後端部パワーは前記最短長マークの後端部パワーと等しい１つのパルス光でマークを記録する。
前記記録手段によるマーク記録時において、パルス後端部以降のクーリングパルスの照射光量が一定時間０．１ｍＷ以下であり、かつ記録線速度が４２ｍ／ｓ以上である。
【００５８】
前記記録再生装置においては、大容量の情報を記録する媒体として、光ディスクが使用されているが、光ディスクは通常、光ディスクドライブ（記録再生装置）によって記録再生される。以下、光ディスクとドライブ構成について説明する。
前記光ディスクとしては、色素系追記型ＤＶＤ媒体が用いられ、該色素系追記型ＤＶＤ媒体としては、ＤＶＤ−ＲＡＭ・ＷＯ、ＤＶＤ−Ｒ、ＤＶＤ＋ＲとＤＶＤ−ＲＡＭ、ＤＶＤ−ＲＷ、ＤＶＤ＋ＲＷディスクは、書き込みが可能な（記録可能な）ＤＶＤ（Ｄｉｇｉｔａｌ  Ｖｅｒｓａｔｉｌｅ  Ｄｉｓｃ）である。前者のＤＶＤ−ＲＡＭ・ＷＯ、ＤＶＤ−Ｒ、ＤＶＤ＋Ｒは、１回だけ書き込みが可能なＤＶＤである（なお、ＤＶＤ  Ｗｒｉｔｅ  Ｏｎｃｅともいわれている）。また、後者のＤＶＤ−ＲＡＭ、ＤＶＤ−ＲＷ、ＤＶＤ＋ＲＷは、複数回の書き込みが可能なＤＶＤである。これらのＤＶＤ＋ＲやＤＶＤ＋ＲＷディスク等、即ち、光ディスクは、以下の図６に示すような光ディスクドライブによって情報の記録再生が行われる。
【００５９】
ここで、図６は、光ディスクドライブについて、その要部構成の一例を示す機能ブロック図である。この図６において、１１は光ディスク、１２はスピンドルモータ、１３は光ピックアップ、１４はモータドライバ、１５はリードアンプ、１６はサーボ手段、１７はＤＶＤデコーダ、１８はＡＤＩＰデコーダ、１９はレーザコントローラ、２０はＤＶＤエンコーダ、２１はＤＶＤ−ＲＯＭエンコーダ、２２はバッファＲＡＭ、２３はバッファマネージャ、２４はＤＶＤ−ＲＯＭデコーダ、２５はＡＴＡＰＩ／ＳＣＳＩインターフェース、２６はＤ／Ａコンバータ、２７はＲＯＭ、２８はＣＰＵ、２９はＲＡＭを示し、ＬＢはレーザ光、Ａｕｄｉｏはオーディオ出力信号を示す。
【００６０】
図６において、矢印はデータが主に流れる方向を示しており、また、図を簡略化するために、図６の各ブロックを制御するＣＰＵ２８には、太線のみを付けて各ブロックとの接続を省略している。ＲＯＭ２７には、ＣＰＵ２８にて解読可能なコードで記述された制御プログラムが格納されている。なお、光ディスクドライブの電源がオン状態になると、前記プログラムは不図示のメインメモリにロードされ、前記ＣＰＵ２８はそのプログラムに従って上記各部の動作を制御するとともに、制御に必要なデータ等を一時的にＲＡＭ２９に保存する。光ディスクドライブの構成と動作は、次のとおりである。光ディスク１１は、スピンドルモータ１２によって回転駆動される。このスピンドルモータ１２は、モータドライバ１４とサーボ手段１６により、線速度又は角速度が一定になるように制御される。この線速度又は角速度は、階段的に変更することが可能である。
【００６１】
光ピックアップ１３は、図示を省略している半導体レーザ、光学系、フォーカスアクチュエータ、トラックアクチュエータ、受光素子及びポジションセンサを内蔵しており、レーザ光ＬＢを光ディスク１に照射する。また、この光ピックアップ１３は、シークモータによってスレッジ方向への移動が可能である。これらのフォーカスアクチュエータ、トラックアクチュエータ、シークモータは、受光素子とポジションセンサから得られる信号に基いて、モータドライバ１４とサーボ手段１６により、レーザ光ＬＢのスポットが光ディスク１１上の目的の場所に位置するように制御される。
【００６２】
そして、リード時には、光ピックアップ１３によって得られた再生信号が、リードアンプ１５で増幅されて２値化された後、ＤＶＤデコーダ１７に入力される。入力された２値化データは、このＤＶＤデコーダ１７において、８／１６復調される。なお、記録データは、８ビットずつまとめられて変調（８／１６変調）されており、この変調では、８ビットを１６ビットに変換している。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【００６３】
復調されたデータは、デインターリーブとエラー訂正の処理が行われる。その後、このデータは、ＤＶＤ−ＲＯＭデコーダ２４へ入力され、データの信頼性を高めるために、更に、エラー訂正の処理が行われる。このように２回のエラー訂正の処理が行われたデータは、バッファマネージャ２３によって一旦バッファＲＡＭ２２に蓄えられ、セクタデータとして揃った状態で、ＡＴＡＰＩ／ＳＣＳＩインターフェース２５を介して、図示しないホストコンピュータへ一気に転送される。なお、音楽データの場合には、ＤＶＤデコーダ７から出力されたデータが、Ｄ／Ａコンバータ２６へ入力され、アナログのオーディオ出力信号Ａｕｄｉｏとして取り出される。
【００６４】
また、ライト時には、ＡＴＡＰＩ／ＳＣＳＩインターフェース２５を通して、ホストコンピュータから送られてきたデータは、バッファマネージャ２３によって一旦バッファＲＡＭ２２に蓄えられる。その後、ライト動作が開始されるが、この場合には、その前にレーザスポットを書き込み開始地点に位置させる必要がある。この地点は、ＤＶＤ＋ＲＷ／＋Ｒでは、予め光ディスク１上にトラックの蛇行により刻まれているウォブル信号によって求められる。
【００６５】
なお、上記地点はＤＶＤ−ＲＷ／−Ｒではウォブル信号の代わりにランドプリピット、ＤＶＤ−ＲＡＭ／ＲＡＭ・ＷＯではプリピットによって求められる。
ＤＶＤ＋ＲＷ／＋Ｒディスクにおけるウォブル信号には、ＡＤＩＰ（ＡＤｒｅｓｓ  Ｉｎ  Ｐｒｅ−ｇｒｏｏｖｅ）と呼ばれるアドレス情報が含まれており、この情報が、ＡＤＩＰデコーダ１８によって取り出される。また、このＡＤＩＰデコーダ１８によって生成される同期信号は、ＤＶＤエンコーダ２０へ入力され、光ディスク１１上の正確な位置へのデータの書き込みを可能にしている。バッファＲＡＭ２２のデータは、ＤＶＤ−ＲＯＭエンコーダ２１やＤＶＤエンコーダ２０において、エラー訂正コードの付加や、インターリーブが行われ、レーザコントローラ１９、光ピックアップ１３を介して、本発明の記録波形にて光ディスク１１に記録される。
【００６６】
即ち、ウォブルを有した追記型ＤＶＤ媒体に対し、最短長マークを、先端部が高出力化された１つのパルス光で記録し、２番目以降の長さのマークを、パルス先端部と後端部の２カ所が一定時間高出力化され、該先端部パワーは最短長マークの先端部パワーと等しく、該後端部パワーは最短長マークの後端部パワーと等しい１つのパルス光でマークを記録し、該記録を再生光で再生するに当たり、前記記録マーク記録時において、前記パルス後端部以降のクーリングパルスの照射光量を、一定時間０．１ｍＷ以下にすることで高線速における、高品質記録が実現可能である。
【００６７】
更にパルス後端部以降のクーリングパルスを照射する時間を、再短長スペースの１／６〜６／６の長さとすることで記録品質を一層向上可能で、より好ましいクーリングパルス範囲と言える。
更に、本発明の記録波形は直前のスペース長が最短長であるマークを形成する記録パルスの加熱パルス幅を、該マークの長さが最短長であるか否かで区別し、最短長マークの加熱パルス幅を最短長でないマークの加熱パルス幅よりも長く設定し、かつ、最短長マークを形成する記録パルスの加熱パルス幅を、該最短長マークの直前のスペース長が最短長であるか否かで区別し、直前のスペース長が最短であるマークの加熱パルス幅を、直前のスペース長が最短でないマークの加熱パルス幅よりも短く設定することでも、高品質な記録、即ち、低ジッタ化が実現できる。
また、アドレス情報を得る方式はランドプリピットやプリピットからアドレス情報を得る構成であってもよい。
【００６８】
図７は、図６に示す光ディスクドライブを使用した情報処理装置の概略図である。
この情報処理装置は、主制御装置１１２、インターフェース１１４、記録装置１１６、入力装置１１１及び表示装置１１３などを備えている。
【００６９】
主制御装置１１２は、ＣＰＵ（中央処理装置、マイクロコンピュータ）、メインメモリ（何れも図示せず）などを含んで構成され、ホストコンピュータの全体を制御する。
インターフェース１１４は、光ディスクドライブ１１５との双方向の通信インターフェースであり、ＡＴＡＰＩ及びＳＣＳＩ等の標準インターフェースに準拠している。インターフェース１１４は前述した光ディスクドライブ１１５のインターフェース２５（図６参照）と接続されている。なお、各インターフェース間の接続形態は、通信ケーブル（例えば、ＳＣＳＩケーブル）などの通信線を用いたケーブル接続だけでなく、赤外線などを利用したワイヤレス接続であってもよい。
記録装置１１６（例えば、ＨＤＤ、ハードディスク）には、主制御装置１１２のマイクロコンピュータで解読可能なコードで記述されたプログラムが格納されている。なお、情報処理装置の駆動電源がオン状態になると、上記プログラムは主制御装置１１２のメインメモリにロードされる。
表示装置１１３は、例えば、ＣＲＴ、液晶ディスプレイ（ＬＣＤ）、プラズマディスプレイパネル（ＰＤＰ）などの表示部（図示省略）を備え、制御装置１１２からの各種情報を表示する。
入力装置１１１は、例えば、キーボード、マウス、ポインティングデバイスなどのうち少なくとも１つの入力媒体（図示省略）を備え、ユーザーから入力された各種情報を主制御装置１１２に通知する。なお、入力媒体からの情報はワイヤレス方式で入力されてもよい。
また、表示装置１１３と入力装置１１１とが一体化したものとして、例えば、タッチパネル付きＣＲＴなどがある。また、情報処理装置はオペレーティングシステム（ＯＳ）を搭載している。そして、情報処理装置を構成する全てのデバイスはＯＳによって管理されているものとする。
【実施例】
【００７０】
以下、本発明を実施例により説明するが、本発明は、下記実施例に限定されるものではない。
【００７１】
＜光記録媒体の作製＞
溝深さ１６７ｎｍ（１６７０Å）、半値幅０．３９μｍ、トラックピッチ０．７４μｍ、ウォブル周波数３２Ｔ相当を有する厚み０．６ｍｍ、外径１２０ｍｍの射出成形によるポリカーボネート樹脂製基板を用意した。
次に、下記構造式（Ａ）で表される化合物と、下記構造式（Ｂ）で表される化合物とを、質量比（構造式（Ａ）：構造式（Ｂ））＝７０：３０となるように秤量して、２，２，３，３-テトラフルオロ−１−プロパノールで溶解した色素塗布液を調製した。この塗布液を前記基板上にスピンナー塗布し、９０℃にて３０分乾燥して、厚み７５ｎｍ（７５０Å）の色素含有記録層を形成した。なお、色素含有記録層の分解開始温度は２７０℃であった。
次に、色素含有記録層上に、スパッタ法により、銀を厚み１１０ｎｍ（１１００Å）となるように成膜して反射層を形成した。
次に、反射層上に、塗布法により、厚み５μｍのアクリル系フォトポリマーからなる保護層を設けた。
次に、保護層上に、厚み０．６ｍｍ、外径１２０ｍｍの射出成形によるポリカーボネート樹脂製平板基板をアクリル系フォトポリマーにて接着した。以上により、光記録媒体（色素系追記型ＤＶＤ媒体）を作製した。
【００７２】
【化１】
2006286174.tif 000004
【００７３】
【化２】
2006286174.tif 000005
ただし、前記構造式（Ｂ）中、Ｐｈはフェニル基を表す。
【００７４】
（実施例１〜１１）
得られた光記録媒体について、発振波長６６０ｎｍ、ビーム径０．９μｍの半導体レーザ光を用い、トラッキングしながらＥＦＭ信号（最小ピット長約０．４μｍ）を、下記表３に示す記録条件及び記録線速度でボトムジッタ（Ｂｏｔｔｏｍ  Ｊｉｔｔｅｒ）が極小となるような記録パワーで記録し、その個所を再生してジッタ値、アシンメトリ、及びＰＩエラー数を求めた。結果を表３に示す。
なお、記録レーザ光の波形は図４及び図５に示す通りであった。また、Ｗ０は各マークの先端部パルスパワー、Ｗ１は各マークの後端部パルスパワー、Ｗ２は短い方から２番目以降の長さのマークの上乗せ無しパワーである。更に、記録線速度４２ｍ／ｓと５６ｍ／ｓのパルス長は、図４及び図５に示すパルス長を用いた。
なお、記録光及び再生光の波長６６０ｎｍの光に対し、色素含有記録層の屈折率ｎは２．２９であり、かつ消衰係数ｋは０．０４であった。
【００７５】
（比較例１）
比較例１は、クーリングパルスが存在しない記録波形とし、表３に示す条件とした以外は、実施例１〜１２と同様にして、記録再生を行った。結果を表３に示す。
【００７６】
（比較例２）
比較例２は、クーリングパルスの照射光量を０．２ｍＷとし、表３に示す条件とした以外は、実施例１〜１２と同様にして、記録再生を行った。結果を表３に示す。
【００７７】
（比較例３）
比較例３は、クーリングパルスが存在しない記録波形とし、表３に示す条件とした以外は、実施例１〜１２と同様にして、記録再生を行った。結果を表３に示す。
【００７８】
（比較例４）
比較例４は、最短長マークのパルスを単純矩形波で２番目以降の長さのマークのパルスの先端と後端のパワーを同一にし、表３に示す条件とした以外は、実施例１〜１２と同様にして、記録再生を行った。結果を表３に示す。
【００７９】
（比較例５）
比較例５は、２番目以降の長さのマークのパルスを単純矩形波とし、表３に示す条件とした以外は、実施例１〜１２と同様にして、記録再生を行った。結果を表３に示す。
【００８０】
（比較例６）
比較例６は、全てのマークのパルスを単純矩形波とし、表３に示す条件とした以外は、実施例１〜１２と同様にして、記録再生を行った。結果を表３に示す。
【００８１】
【表２】
2006286174.tif 000006
【００８２】
【表３】
2006286174.tif 000007
表３の結果から、実施例１〜１１は、比較例１〜６に比べて、ジッタ値、アシンメトリ共に概ね良好であり、また、ＰＩエラーについては非常に優れていることが認められる。なお、実施例８は、クーリングパルス長を０．４Ｔとし、最短長スペースの長さ３Ｔの１／６（即ち０．５Ｔ）よりも短くしたため、ＰＩエラーが２０とやや劣る結果となった。
【００８３】
（実施例１２）
上記作製した光記録媒体を用いて、発振波長６６０ｎｍ、ビーム径０．９μｍの半導体レーザ光を用い、トラッキングしながらＥＦＭ信号（最小ピット長約０．４μｍ）を下記表３に示す記録条件及び記録線速度で、かつ表２補正ありの条件下で、ボトムジッタが極小となるような記録パワーで記録し、その個所を再生してジッタ値、アシンメトリ、及びＰＩエラー数を求めた。結果を表４に示す。
なお、記録レーザ光の波形は図５に示す通りである。また、Ｗ０は各マークの先端パルスパワー、Ｗ１は各マークの後端パルスパワー、Ｗ２は短い方から２番目以降の長さのマークの上乗せ無しパワーである。更に、線速５６ｍ／ｓのパルス長は、図５に示すパルス長を用いた。
【００８４】
（比較例７〜９）
実施例１２において、表４に示すようにＤＶＤ−Ｒで実施されているＬＰＰフォーマットのＬＰＰｂの大きさを振った（変化させた）試作条件スタンパと成形基板を用いて、実施例１２と同様の条件で光記録媒体を作製し、実施例１２と同様の記録再生評価を行った。結果を表４に示す。
【００８５】
【表４】
2006286174.tif 000008
表４の結果から、ＬＰＰフォーマットのサンプルでは、比較例９のようにＬＰＰｂが大きくなると、ジッタ値が良好であってもＰＩエラーが増加してしまう。また、比較例７のようにＬＰＰｂが０．１６を下回るレベルであると実用されている装置でのアドレス検出が不可能となってしまうことが確認できた。
これに対し、実施例１２は、比較例７〜９に比べて、ジッタ値、アシンメトリ共に良好であり、また、ＰＩエラーについては非常に優れていることが認められる。
【産業上の利用可能性】
【００８６】
本発明の色素系追記型ＤＶＤ媒体の記録再生方法及び色素系追記型ＤＶＤ媒体の記録再生装置は、例えば、ＤＶＤ−ＲＡＭ・ＷＯ、ＤＶＤ−Ｒ、ＤＶＤ＋ＲとＤＶＤ−ＲＡＭ、ＤＶＤ−ＲＷ、ＤＶＤ＋ＲＷディスクは、書き込みが可能な（記録可能な）ＤＶＤ（Ｄｉｇｉｔａｌ  Ｖｅｒｓａｔｉｌｅ  Ｄｉｓｃ）などに好適に用いられる。
【図面の簡単な説明】
【００８７】
【図１Ａ】図１Ａは、本発明の片面単層型の色素系追記型ＤＶＤ媒体の層構成の一例を示す図である。
【図１Ｂ】図１Ｂは、本発明の片面単層型の色素系追記型ＤＶＤ媒体の層構成の他の一例を示す図である。
【図１Ｃ】図１Ｃは、本発明の片面単層型の色素系追記型ＤＶＤ媒体の層構成の他の一例を示す図である。
【図２】図２は、本発明の両面型の色素系追記型ＤＶＤ媒体の一例を示す概略断面図である。
【図３】図３は、本発明の片面２層型の色素系追記型ＤＶＤ媒体の一例を示す概略断面図である。
【図４】図４は、本発明の記録線速度４２ｍ／ｓ用のパワー制御波形の一例を示す図である。
【図５】図５は、本発明の記録線速度５６ｍ／ｓ用のパワー制御波形の一例を示す図である。
【図６】図６は、本発明の光ディスクドライブの要部構成の一例を示す機能ブロック図である。
【図７】図７は、図６の光ディスクドライブを使用した情報処理装置の概略構成図である。
【符号の説明】
【００８８】
１      基板
２      色素含有記録層
３      下引き層
４      保護層
５      基板面ハードコート層
６      反射層
７      保護基板
８      接着層
２１      第１基板
２２      第１色素含有記録層
２４      第１保護層
２６      第１反射層
３１      第２基板
３２      第２色素含有記録層
３４      第２保護層
３６      第２反射層
４０      接着層
１００      第１情報層
１０１      第１基板
１０２      第１色素含有記録層
１０３      第１反射層
１０４      第１保護層
１１１      入力装置
１１２      制御装置
１１３      表示装置
１１４      インターフェイス
１１５      光ディスクドライブ
１１６      記録装置
２００      第２情報層
２０１      第２基板
２０２      第２反射層
２０３      第２色素含有記録層
２０４      第２保護層
３００      中間層
ｓｐａｃｅ      スペース
ｍａｒｋ      マーク
Ｃｏｏｌｉｎｇ  Ａｒｅａ      クーリング領域
Ｔ      基本クロック周期
ｎ      ３以上の整数
ｎ’      ３以上の整数
ｐｓ      直前のスペース長
ｃｍ      記録マーク長
Ｗ０      各マークのパルス先端部記録パワー
Ｗ１      各マークのパルス後端部記録パワー
Ｗ２      短い方から２番目以降の上乗せなしパワー
【図１Ａ】
2006286174.tif 000009
【図１Ｂ】
2006286174.tif 000010
【図１Ｃ】
2006286174.tif 000011
【図２】
2006286174.tif 000012
【図３】
2006286174.tif 000013
【図４】
2006286174.tif 000014
【図５】
2006286174.tif 000015
【図６】
2006286174.tif 000016
【図７】
2006286174.tif 000017